(57)【要約】【課題】内容物が重量のあるものであっても、荷崩れせず、安定性のある段積みができる段ボール製トレーを提供する。【解決手段】前後側壁３Ａに連設された差込片を、左右側壁２Ａの二重壁の間隙に挿嵌して組み立てられ、底縁に設けられた嵌合溝２ｆに上端部に形成された突片２ｅを係合させて段積みされる段ボール製トレーが青果物の保管や運搬に使用されている。本発明は、左右側壁片２に、直角に折り曲げて前後側壁３Ａの内側へ配置される支持片２ｃを連設して、段積みされる段ボール製トレーの重量を支持片２ｃにも分担させた。そして、前後側壁３は支持片２ｃとの間に隙間ができるように上拡がりに形成され、上端部には段積みされる段ボール製トレーが当接する当接片３ｂを設けた。さらに、支持片２ｃには緩衝切欠部２ｍを設けて、急に大きな荷重がかかった場合には緩衝されるようにした。【選択図】  図１
2014019445.tif 000002
【特許請求の範囲】
【請求項１】
一枚の段ボールに、二重壁を形成する二重折り目を設けた左右側壁片と、二重壁の間隙に挿嵌させる差込片が連設された前後側壁片とが、底面の四辺に対向して連設され、これを折り目に沿って折り曲げて左右側壁と前後側壁を組み立て、左右側壁の底縁に設けられた嵌合溝に上端部の突片を係合させて段積みされる段ボール製トレーにおいて、該左右側壁片には、段積みされる段ボール製トレーの重量を分担するため、直角に折り曲げて該前後側壁の内側へ配置される支持片を連設し、底縁部に該嵌合溝を設けるとともに、上端縁に該突片を設け、該前後側壁片は、組み立てると該支持片との間に隙間のある上拡がりの前後側壁が形成され、段積みされる段ボール製トレーが当接する当接片を上端部に設けたことを特徴とする段ボール製トレー。
【請求項２】
一枚の段ボールに、二重壁を形成する二重折り目を設けた左右側壁片と、二重壁の間隙に挿嵌させる差込片が連設された前後側壁片とが、底面の四辺に対向して連設され、これを折り目に沿って折り曲げて左右側壁と前後側壁を組み立て、左右側壁の底縁に設けられた嵌合溝に上端部の突片を係合させて段積みされる段ボール製トレーにおいて、該左右側壁片には、段積みされるトレーの重量を分担するため、直角に折り曲げて該前後側壁の内側へ配置される支持片を連設するとともに、底縁両端部に該嵌合溝を設け、該前後側壁片は、組み立てると該支持片との間に隙間のある上拡がりの前後側壁が形成され、段積みされる段ボール製トレーが当接する当接片と該嵌合溝に係合する突片を連接して設け、組み立てると上端四隅にＬ字状に突出形成されることを特徴とする段ボール製トレー。
【請求項３】
前記支持片は、所定以上の荷重がかかったとき下方へ撓むように、支持片の上端縁から下方へ向けた緩衝切欠部を複数個設けたことを特徴とする請求項１または請求項２に記載の段ボール製トレー。
【請求項４】
中央部に十文字形の中仕切を付設した段ボール製トレーであって、該中仕切は、前記左右側壁の中央部に形成した係合溝に係合する係止片を両端部に付設し、中央部に係合溝を設けた縦仕切と、該縦仕切と直交するように中央部の係合溝に係合させて設けた横仕切とからなることを特徴とする請求項１〜請求項３に記載のいずれかの段ボール製トレー。
【発明の詳細な説明】
【技術分野】
【０００１】
この発明は、野菜や果実などの保管や運搬に使用する段積み可能な段ボール製トレーに関するものである。
【背景技術】
【０００２】
野菜や果物の運搬容器として、一枚の段ボールを、折り目に沿って折り曲げるだけで組み立てられる上面が開放された段ボール製トレーが古くから使用されており、出願人は種々のものを開発している。
段ボール製トレーの代表的なものとして、二重壁の左右側壁と前後側壁を差込片によって連結したものがある（特許文献１）。
【０００３】
特許文献１の段ボール製トレーは、底面の四辺に、二重壁を形成するための折り目を設けた左右側壁片と、前後側壁片とを対向させて連設し、前後側壁片の側端に、左右側壁片の二重壁の間隙に挿嵌させる差込片を設けている。そして、段積み時に係合するための突片を左右側壁の上端部に設けるとともに、底面に該突片が嵌入する嵌合溝を設けている。
【先行技術文献】
【特許文献】
【０００４】
【特許文献１】特開２０１１-１３１９２５号公報
【発明の開示】
【発明が解決しようとする課題】
【０００５】
特許文献１の段ボール製トレーは、組立が簡便で、使い勝手も良いが、左右側壁と前後側壁とが差込片で係止されているだけなので連結が若干弱いという難点がある。また、段積み時は、左右側壁の上端縁だけで上載のトレーの重量を支持しているので、収納物の重量が大きかったり、トレーの大きさが大きくなると、潰れたり、荷崩れが起きやすいという問題がある。
【０００６】
そこで、本発明は、組立の簡便さや使い勝手を損なうことなく、重量のある内容物であっても、押し潰されたり荷崩れしたりせず、安定した段積みができる段ボール製トレーを提供することを目的としている。
【課題を解決するための手段】
【０００７】
上記の目的を解決するため、請求項１の発明の段ボール製トレーは、次のように構成した。すなわち、一枚の段ボールに、二重壁を形成する二重折り目を設けた左右側壁片と、二重壁の間隙に挿嵌させる差込片が連設された前後側壁片とが、底面の四辺に対向して連設され、これを折り目に沿って折り曲げて左右側壁と前後側壁を組み立て、左右側壁の底縁に設けられた嵌合溝に上端部の突片を係合させて段積みされる段ボール製トレーにおいて、該左右側壁片には、段積みされる段ボール製トレーの重量を分担するため、直角に折り曲げて該前後側壁の内側へ配置される支持片を連設し、底縁部に該嵌合溝を設けるとともに、上端縁に該突片を設け、該前後側壁片は、組み立てると該支持片との間に隙間のある上拡がりの前後側壁が形成され、段積みされる段ボール製トレーが当接する当接片を上端部に設けたことを特徴としている。
【０００８】
左右側壁は前後側壁より長くなくてもよい。例えば、底板が正方形であってもよい。
左右側壁片は組み立てると底板に対し垂直で二重壁を形成し、前後側壁は上拡がりに傾斜した一枚の壁を形成する。傾斜は、上段の段ボール製トレーの前後側壁が両端の当接片間に嵌合するように決めればよい。
この傾斜を形成するための手段は、差込片の上端片を先に向かって下降傾斜させるのが簡便である。なお、差込片の長さは限定しない。
【０００９】
支持片は、前後側壁との間に隙間が形成されるように、前後側壁の内側に直角に折り曲げて立設させる。高さは、左右側壁の高さと同じにする。長さは任意でよいが、支持片の先端は前後側壁に当接するようにする。
段積みのための突片と嵌合溝の位置は、特に限定しない。また、個数は左右側壁の長さに応じて適宜決めればよい。
【００１０】
また、請求項２の発明の段ボール製トレーは、次のように構成した。すなわち、一枚の段ボールに、二重壁を形成する二重折り目を設けた左右側壁片と、二重壁の間隙に挿嵌させる差込片が連設された前後側壁片とが、底面の四辺に対向して連設され、これを折り目に沿って折り曲げて左右側壁と前後側壁を組み立て、左右側壁の底縁に設けられた嵌合溝に上端部の突片を係合させて段積みされる段ボール製トレーにおいて、該左右側壁片には、段積みされるトレーの重量を分担するため、直角に折り曲げて該前後側壁の内側へ配置される支持片を連設するとともに、底縁両端部に該嵌合溝を設け、該前後側壁片は、組み立てると該支持片との間に隙間のある上拡がりの前後側壁が形成され、段積みされる段ボール製トレーが当接する当接片と該嵌合溝に係合する突片を連接して設け、組み立てると上端四隅にＬ字状に突出形成されることを特徴としている。
【００１１】
請求項１の発明の段ボール製トレーとの相違点は、段積みした場合の上下の段ボール製トレーの係合形態にある。
すなわち、上記の段ボール製トレーでは、段積みのための突片を左右側壁の上端縁の両端から中寄に設けているが、請求項２の段ボール製トレーでは、両端部として差込片に当接片と連設して設け組み立てた時にはトレーの四隅にＬ字状に形成される。
【００１２】
青果物を収納した段ボール製トレーを段積みして輸送する場合では、急停止などの動揺によって段ボール製トレーに急激な荷重がかかることがあるが、左右側壁の上端縁と支持片によって上載の段ボール製トレーを支持するので、潰れたり、荷崩れすることはない。  しかし、段ボール製トレーが強固であると、内容物に直接衝撃を与えてしまう場合がある。
そこで、このような場合に段ボール製トレー自身が変形して内容物への衝撃を防ぐようにすることが望ましい。この手段は、請求項３に記載のように、支持片に上端縁から下方へ向けた緩衝切欠部を複数個設け、所定以上の荷重がかかったときは下方へ撓むようにするとよい。
この緩衝切欠部は、所定以上の荷重に対して支持片が撓むような構造であればよく、特に限定しないが、Ｖ字状や、斜めの切込みとするのが簡便である。
【００１３】
段ボール製トレーの中仕切は、必要によりトレー自身の大きさや収納する内容物の形状などによって適宜なものを使用すればよい。
なお、苺パックを４個収納する段ボール製トレーの場合には、中仕切は、請求項３に記載のように、左右側壁の中央部に形成した係合溝に係合する係止片を両端部に付設し、中央部に係合溝を設けた縦仕切と、この縦仕切と直交するように中央部の係合溝に係合させて設けた横仕切とから構成したものが望ましい。
横仕切の長さは、前後側壁まで達する必要はない。また、横仕切の固定は、縦仕切の中央部の係合溝に固定するだけで、両端部は保持しなくてもよい。
【発明の効果】
【００１４】
請求項１の発明の段ボール製トレーは、左右側壁片に段積みされる段ボール製トレーの重量を分担するため、直角に折り曲げて前後側壁の内側へ配置される支持片を連設し、底縁部に嵌合溝を設けるとともに、上端縁に突片を設け、該前後側壁片は、組み立てると該支持片との間に隙間のある上拡がりの前後側壁が形成され、段積みされる段ボール製トレーが当接する当接片を上端部に設けたので、段積み時は、前後側壁の内側の支持片でも上載のトレーの重量を分担するので、変形し難く安定した段積みができる。しかも、支持片という簡素で少ない材料によって段積みに対する強度を確保できる。また、前後側壁が上拡がりに傾斜しているので、段積み時は上載のトレーが前後側壁間に嵌合するので、段積み作業が簡単である。
【００１５】
請求項２の発明の段ボール製トレーは、左右側壁片には、段積みされるトレーの重量を分担するため、直角に折り曲げて該前後側壁の内側へ配置される支持片を連設するとともに、底縁両端部に該嵌入穴を設け、該前後側壁片は、組み立てると該支持片との間に隙間のある上拡がりの前後側壁が形成され、段積みされるトレーが当接する当接片と該嵌入穴に嵌入する突片を連接して設け、組み立てるとトレーの四隅にＬ字状に突出形成されるので、上記と同様の効果があり、さらに、当接片および突片が強固になり、安定した段積みができ、また、多少乱暴に扱っても直ちには損傷しないものとなった。
【図面の簡単な説明】
【００１６】
【図１】請求項１の発明の段ボール製トレーの実施の形態を示す斜視図である。
【図２】同、段ボール製トレーの展開図である。
【図３】同、図１に示す状態への組立過程における一部を示す要部斜視図である。
【図４】同、段積み状態の側面図である。
【図５】請求項２の発明の段ボール製トレーの実施の形態を示す斜視図である。
【図６】同、段ボール製トレーの展開図である。
【図７】同、図５に示す状態への組立過程における一部を示す要部斜視図である。
【図８】同、段積み状態の側面図である。
【発明を実施するための形態】
【００１７】
請求項１の発明の段ボール製トレーの実施の形態を、図１〜図４に基づいて説明する。  図１は、段ボール製トレー２００の全体を示す斜視図であり、図２は、図１の展開図である。また、図３は段ボール製トレーを折り上げる途中の状態を示す一部斜視図である。図４は、段ボール製トレー２００の段積み状態を示す斜視図である。
【００１８】
段ボール製トレー２００は、図１に示すように、底面１と、その縁部から立設する左右側壁２Ａと、前後側壁３Ａとで直方の皿状に形成され、上部は開放されている。
左右側壁２Ａは、二重壁であり底面１から垂直に立設され、前後側壁３Ａは、一枚の壁で若干上拡がりに傾斜している。そして、前後側壁３Ａの内壁面直前には、左右側壁２Ａに連接された支持片２ｃが垂直に立設されている。支持片２ｃは、前後側壁３Ａとの間に隙間が形成され、左右側壁２Ａと同じ高さであり、左右側壁２Ａから直角に折り曲げてあるだけで、固定はしてない。そして、支持片２ｃの上端縁にはＶ字状の複数個の緩衝切欠部２ｍが形成されている。
【００１９】
左右側壁２Ａの上端縁には突片２ｅがそれぞれ２個設けられ、前後側壁の両端部には当接片３ｂが設けられている。そして、底部の縁部には突片３ｃが嵌合する嵌合溝２ｆが設けられている。なお、１２ｇは通気口である。
段ボール製トレー２００内の中央部には両端が左右側壁２Ａに係止した縦仕切４と、これに中央部で直交して十文字状に組み合わせた横仕切５とからなる中仕切が設けられている。
【００２０】
この段ボール製トレー２００は、図２に示した一枚の段ボール１００を、折り目に沿って折り曲げることによって、組み立てられる。
段ボール１００は、トレー部分を構成する連設された部材と、トレー内に付設する中仕切とからなる。トレー部分は、ほぼ中央に形成された矩形の底面１と、主折り目Ａを介して連設された一対の左右側壁片２と一対の前後側壁片３とからなり、中仕切は、縦仕切４と横仕切５とからなる。
【００２１】
底面１の左右側壁片２との主折り目Ａ上には、左右側壁片２の係止片２ｄが挿嵌するための細長に開口した係止孔１ａと、突片２ｅが嵌合する嵌合溝２ｆが設けられている。
なお、係止孔１ａと嵌合溝２ｆの個数は片側２個ずつ計４個ずつとし、ここでは、係止孔１ａと嵌合溝２ｆとが連続するように設けられている。
係止孔１ａは、主折り目Ａから底面１側へ段ボールの厚さ程度の溝幅で形成され、長さは係止片２ｄの長さと同程度である。
嵌合溝２ｆは、主折り目Ａを中心線として対称に開口しており、長さは、突片２ｅと同程度で、溝幅は、突片２ｅの高さより少し高めに開口している。
【００２２】
左右側壁片２は、主折り目Ａに連設した外壁片２ｂと、これに二重折り目Ｂを介して連設された内壁片２ａと、内壁片２ａの両端に折り目Ｄを介して連設された支持片２ｃとからなる。支持片２ｃの上端縁にはＶ字状の緩衝切欠部２ｍが複数個形成されている。
内壁片２ａ上端縁には底面１の係止孔１ａに嵌挿する係止片２ｄが設けられ、中央部には、縦仕切４の係止片４ｂが係合する係合溝２ｈが設けられている。また、二重折り目Ｂには、外壁片２ｂ側を残してコ字状に切り込んで形成した突片２ｅが設けられている。
【００２３】
前後側壁片３は、左右側壁片２に対して直角方向の主折り目Ａに連設して設けられ、その両端には折り目Ｃを介して差込片３ａが連設されている。この差込片３ａの上端縁３ｃは、外側へ向かって漸次低くなるように形成されている。そして、前後側壁片３の上端縁両端には当接片３ｂが設けられている。
【００２４】
中仕切の縦仕切４および横仕切５は別体で前後側壁片３と接して設けられている。縦仕切４は、両端に左右側壁片２の係合溝２ｈと係合する係止片４ｂが設けられ、中央部には横仕切５の係合溝５ａと係合する係合溝４ａが設けられている。横仕切５は縦仕切４より短く、中央部に係合溝５ａが設けられている。
【００２５】
次に、図２に示した段ボール１００から、図１の段ボール製トレー２００への組立について説明する。
まず、左右側壁片２と底面１の主折り目Ａ、前後側壁片３と底面１の主折り目Ａ、左右側壁片２の二重折り目Ｂ、前後側壁片３の折り目Ｃを紙面手前側へ折り曲げ、また、内壁片２ａの折り目Ｄを紙面裏側へ折り曲げることにより、折り癖を付ける。二重折り目Ｂの折り曲げにより、コ字状の突片２ｅが突出する。
【００２６】
組立ては、図３に途中の状態を示すように、左右側壁片２を底面１に対して立ち上げて、差込片３ａを折り曲げる。そして、前後側壁片３を立ち上げ、差込片３ａを左右側壁片２の内側へ折り曲げ、内壁片２ａを二重折り目Ｂから折り曲げて挟み込んで、係止片２ｄを底面１の係止孔１ａへ挿嵌する。前後側壁３Ａは、差込片３ａの上端縁３ｃが傾斜していることにより、上拡がりに傾斜した状態に形成される。そして、支持片２ｃが前後側壁３Ａと隙間を有して、その内面側に垂直に立設する。
【００２７】
次に、縦仕切４を持って、その両端の係止片４ｂを左右側壁２Ａの係合溝２ｈに係合させて立設する。続いて、横仕切５を縦仕切４に対して直角に向けて中央部の係合溝５ａを縦仕切４の係合溝４ａに係合させて固定する。これにより、段ボール製トレー２００の組立が完成する。
【００２８】
組み立てられた段ボール製トレー２００は、前後側壁片３の差込片３ａが左右側壁片２の内壁片２ａと外壁片２ｂの間に挿入され、左右側壁片２の係止片２ｄが底面１の係止孔１ａに挿入されることにより、前後側壁３Ａと左右側壁２Ａが立設状態に保持される。    
【００２９】
この段ボール製トレー２００を積み重ねる場合は、図４に示すように、下段における段ボール製トレー２００の左右側壁２Ａの上端縁の突片２ｅに、上段の段ボール製トレー２００の底縁の嵌合溝２ｆを嵌合させるだけでよい。これにより、上段の段ボール製トレー２００の前後側壁３Ａは、下段の段ボール製トレー２００の前後側壁３Ａの両当接片３ｂ間に嵌合した状態となる。そして、突片２ｅと当接片３ｂによって、上段の段ボール製トレー２００がズレないように規制されるので安定性がよく、多段に積み重ねることができる。
【００３０】
上段の段ボール製トレー２００の重量は、左右側壁２Ａの上端縁と、前後側壁３Ａの前部の支持片２ｃの上端縁で支持される。段積み状態の段ボール製トレー２００の輸送において、動揺などで、所定以上の急激な荷重がかかったときは、支持片２ｃの上端縁のＶ字状の複数個の緩衝切欠部２ｍがあることによって、支持片２ｃが下方へ撓み、段ボール製トレー２００全体が変形して緩衝する。このため、内容物に直接急激な負荷がかかることを防止できる。
【００３１】
次に、請求項２の発明の段ボール製トレーの実施の形態を、図５〜図８に基づいて説明する。
図５は、段ボール製トレー２０１の全体を示す斜視図であり、図６は、図５の展開図である。また、図７は段ボール製トレーを折り上げる途中の状態を示す一部斜視図で、図８は、段ボール製トレー２００の段積み状態を示す斜視図である。
【００３２】
段ボール製トレー２０１は、図５に示すように、底面１１と、その縁部から立設する一対の左右側壁１２Ａと、前後側壁１３Ａとで直方体に形成され、内部中央部に縦仕切１４と横仕切１５がクロスした中仕切が設けられている。
【００３３】
左右側壁１２Ａは、垂直な二重壁で形成され、前後側壁１３Ａは、若干上拡がりの傾斜をもって組み立てられた一枚もので形成されている。そして、前後側壁１３Ａの内壁面直前には、左右側壁１２Ａに連接された支持片１２ｃが垂直に立設されている。
支持片１２ｃは、左右側壁１２Ａと同じ高さであり、その上端縁には斜めに切込んだ緩衝切欠部１２ｎが複数個形成されている。
【００３４】
また、段ボール製トレー２０１の上端縁四隅には当接片１３と突片１３ｃとが一体に形成されてＬ字状に突出している。そして、底部隅部には突片１３ｃが嵌合する嵌合溝１２ｆが設けられている。なお、１２ｇは通気口である。
【００３５】
この段ボール製トレー２０１は、図６に示した一枚の段ボール１０１を、折り目に沿って折り曲げることによって、組み立てられる。
段ボール１０１は、トレー部分を構成する連設された部材と、トレー内に付設する中仕切とからなる。トレー部分は、ほぼ中央に形成された矩形の底面１１と、主折り目Ａを介して連設された一対の左右側壁片１２と一対の前後側壁片１３とからなり、中仕切は、縦仕切１４と横仕切１５とからなる。
【００３６】
底面１１には、左右側壁片１２との主折り目Ａ上に、左右側壁片１２の係止片１２ｄが挿嵌する係止孔１１ａと、突片１３ｃが嵌合する嵌合溝１２ｆが設けられている。嵌合溝１２ｆは、端部に設けられており、主折り目Ａを中心線として対称に開口している。
【００３７】
左右側壁片１２は、主折り目Ａに連設した外壁片１２ｂと、これと二重折り目Ｂを介して内壁片１２ａが連設され、内壁片１２ａの両端には折り目Ｄを介して支持片１２ｃが延設されている。  この支持片１２ｃの上端縁には斜めの切込みの緩衝切欠部１２ｎが複数個形成されている。
内壁片１２ａには底面１１の係止孔１１ａに嵌挿される係止片１２ｄが設けられ、中央部には、縦仕切１４の係止片１４ｂが係合する係合溝１２ｈが設けられている。また、二重折り目Ｂの両端部には、突片１３ｃが突出できるように、切込み１２ｋが形成されている。
【００３８】
前後側壁片１３は、左右側壁片１２に対して直角方向の主折り目Ａに連設して設けられ、両端には折り目Ｃを介して差込片１３ａが連設されている。そして、折り目Ｃの上端側には当接片１３ｂ（前後側壁１３側）と突片１３ｃ（差込片１３ａ側）とが一体に設けられている。そして、差込片１３ａの上端縁１３ｃは、外側へ向かって漸次低くなるように形成されている。
【００３９】
縦仕切１４および横仕切１５は、前記の実施の形態における縦仕切４および横仕切５と同じく、別体で同じ段ボール１０１に付設されている。縦仕切１４は、両端には左右側壁片１２の係合溝１２ｈと係合する係止片１４ｂを有し、中央部には横仕切１５の係合溝１５ａと係合する係合溝１４ａが設けられている。
【００４０】
段ボール製トレー２０１は、段ボール１０１から主折り目Ａ、二重折り目Ｂ、折り目Ｃを紙面紙面手前側へ折り曲げ、折り目Ｄを紙面裏側へ折り曲げることにより組み立てられる。
すなわち、図７に組立途中の状態を示すように、左右側壁片１２を底面１１に対して立ち上げ、差込片１３ａを折り曲げて前後側壁片１３を立ち上げる。そして、差込片１３ａを左右側壁片１２の内側へ折り曲げて、これを挟み込んで、内壁片１２ａを二重折り目Ｂから折り曲げ、係止片１２ｄを底面１１の係止孔１１ａへ挿嵌する。
【００４１】
このとき、前後側壁１３Ａは、差込片１３ａの上端縁１３ｃが傾斜していることにより、上拡がりに傾斜した状態に形成される。そして、前後側壁１３Ａの内面側に支持片１２ｃが垂直に立設される。
また、上端縁の四隅には、当接片１３ｂと突片１３ｃとが一体となったＬ字状に形成され、突片１３ｃは左右側壁１２の二重折り目Ｂの両端部に形成された切込み１２ｋから上方に突出している。そして、左右側壁１２Ａの底縁端部に、嵌合溝１２ｆが形成される。
続いて、縦仕切１４と横仕切１５とからなる中仕切を、上記の実施の形態と同じく係合させて組み立てれば、図５に示す段ボール製トレー２０１ができあがる。
【００４２】
組み立てられた段ボール製トレー２０１は、上記の段ボール製トレー２００と同様、前後側壁片１３の差込片１３ａが左右側壁片２に挿入され、係止片１２ｄが係止孔１１ａに挿入されることにより、前後側壁１３および左右側壁１２が立設状態に保持される。
【００４３】
段ボール製トレー２０１が積み重ねられると、下段における段ボール製トレー２０１の四隅のＬ字状の一辺である突片１３ｃが、上載の段ボール製トレー２０１の底縁の嵌合溝２ｆに嵌合する。そして、上段の段ボール製トレー２０１の前後側壁１３Ａは、下段の段ボール製トレー２０１の前後側壁１３Ａの両当接片１３ｂ間に嵌合した状態となる。そして、突片１３ｃと当接片１３ｂによって、上段の段ボール製トレー２０１がズレないように規制され、多段に積み重ねることができる。
【００４４】
また、上段の段ボール製トレー２０１の重量は、左右側壁１２Ａの上端縁と、前後側壁１３Ａの前部の支持片１２ｃの上端縁で支持される。
輸送中の動揺などで、所定以上の急激な荷重がかかったときは、支持片１２ｃの上端縁の緩衝切欠部１２ｎがあることによって、段ボール製トレー２０１全体が変形して緩衝する。
【符号の説明】
【００４５】
１００  段ボール
１０１  段ボール
２００  段ボール製トレー
２０１  段ボール製トレー
１  底面
１ａ  係止孔
２Ａ  左右側壁
２  左右側壁片
２ａ  内壁片
２ｂ  外壁片
２ｃ  支持片
２ｄ  係止片
２ｅ  突片
２ｆ  嵌合溝
２ｇ  通気口
２ｈ  係合溝
２ｍ  緩衝切欠部
３Ａ  前後側壁
３  前後側壁片
３ａ  差込片
３ｂ  当接片
３ｃ  上端縁
４  縦仕切
４ａ  係合溝
４ｂ  係止片
５  横仕切
５ａ  係合溝
１１  底面
１１ａ  係止孔
１２Ａ  左右側壁
１２  左右側壁片
１２ａ  内壁片
１２ｂ  外壁片
１２ｃ  支持片
１２ｄ  係止片
１２ｆ  嵌合溝
１２ｇ  通気口
１２ｈ  係合溝
１２ｋ  切込み
１２ｎ  緩衝切欠部
１３Ａ  前後側壁
１３  前後側壁片
１３ａ  差込片
１３ｂ  当接片
１３ｃ  突片
１３ｄ  上端縁
１４  縦仕切
１４ａ  係合溝
１４ｂ  係止片
１５  横仕切
１５ａ  係合溝
Ａ  主折り目
Ｂ  二重折り目
Ｃ  折り目
Ｄ  折り目
【図１】
2014019445.tif 000003
【図２】
2014019445.tif 000004
【図３】
2014019445.tif 000005
【図４】
2014019445.tif 000006
【図５】
2014019445.tif 000007
【図６】
2014019445.tif 000008
【図７】
2014019445.tif 000009
【図８】
2014019445.tif 000010